(57)【要約】【課題】互いに着脱自在に嵌合させることができる第１コネクタと第２コネクタの間の防水を可能とする防水装置を提供する。【解決手段】ケーブルに接続された第１コネクタに取付可能な第１防水ユニットと、第１コネクタと着脱自在に嵌合させることができる第２コネクタに取付可能な第２防水ユニットとを備える。第１防水ユニットは、第１コネクタのケーブルを貫通させるとともに第１コネクタの外部を覆う筒状の弾性部材を有する。第２防水ユニットは、第１防水ユニット側に延びる筒状部分を有する。第２防水ユニットの筒状部分の内部に弾性部材の先端付近を嵌め込んで弾性部材の先端側を防水する。【選択図】図１
2007094085.tif 000002
【特許請求の範囲】
【請求項１】
ケーブルに接続された第１コネクタに取付可能な第１防水ユニットと、前記第１コネクタと着脱自在に嵌合させることができる第２コネクタに取付可能な第２防水ユニットとを備え、前記第１防水ユニットは、前記第１コネクタのケーブルを貫通させるとともに前記第１コネクタの外部を覆う筒状の弾性部材を有し、前記第２防水ユニットは、前記第１防水ユニット側に延びる筒状部分を有し、前記第２防水ユニットの筒状部分の内部に前記弾性部材の先端付近を嵌め込んで前記弾性部材の先端側を防水することを特徴とする防水装置。
【請求項２】
前記弾性部材は先端側から後端側に向かって細くなる傾斜部と該傾斜部の後端側に設けた延長部を有する請求項１記載の装置。
【請求項３】
前記第１防水ユニットは、更に、前記弾性部材の延長部に取り付けられて該弾性部材の後端側を塞いで防水するストッパ部材を有する請求項２記載の装置。
【請求項４】
前記ストッパ部材は略筒状であって前記延長部の外周を包み込むように配置され、前記ストッパ部材によって前記弾性部材の傾斜部を縮径させることにより前記弾性部材を前記ケーブルに押し付けて前記弾性部材の後端側を防水する請求項３記載の装置。
【請求項５】
前記弾性部材は比較的柔らかい部材で形成されており、前記ストッパ部材と前記第２防水ユニットは比較的固い部材で形成されている請求項１乃至４のいずれかに記載の装置。
【請求項６】
前記延長部に設けた規制部材によって前記ストッパ部材の前記後端側への動きを規制する請求項３乃至５のいずれかに記載の装置。
【請求項７】
前記第２防水ユニットの筒状部分の内壁に該筒状部分の内部に向かって先細になるテーパーが設けられている請求項１乃至６のいずれかに記載の装置。
【請求項８】
前記第２防水ユニットはパネル取付可能な部分を有する請求項１乃至７のいずれかに記載の防水装置。
【請求項９】
前記弾性部材は防水機能を有する請求項１乃至８のいずれかに記載の装置。
【請求項１０】
前記弾性部材は、該弾性部材に貫通させた前記第１コネクタのケーブルに沿って前記第２防水ユニット側に移動させることにより前記第２防水ユニットの筒状部分に嵌め込まれる請求項１乃至９のいずれかに記載の装置。
【発明の詳細な説明】
【技術分野】
【０００１】
本発明は、防水装置、更に言えば、ケーブル接続された本体部を有する第１コネクタとこの第１コネクタと着脱自在に嵌合させることができる第２コネクタを防水することができる防水装置に関する。
【背景技術】
【０００２】
例えば、実開平６−７２１８３号公報に、防水機能を有したコネクタ装置が開示されている。このコネクタ装置には、コネクタ等に被せたゴム製の被覆部材にパネル側に向かってラッパ状に拡げたスカート部が設けられており、このスカート部を該スカート部とパネルとの隙間を密閉するように押し付けて、パネルと防水装置の間からの漏水を防止するものである。
【０００３】
また、特開平９−５０８５３号公報に開示されたコネクタ防水構造は、パネルに可撓性を有する壁部を設け、この壁部にコネクタを取り付けることによって、コネクタとパネルの間における漏水を防止するものである。
【０００４】
【特許文献１】実開平６−７２１８３号公報
【特許文献２】特開平９−５０８５３号公報
【発明の開示】
【発明が解決しようとする課題】
【０００５】
しかしながら、上記従来技術における構成では、パネルと防水装置の間において防水を行うだけのもので、互いに嵌合可能な、例えば、プラグとアダプタとの間の、防水を行うものではない。本願発明は、例えば、プラグとアダプタといった、互いに着脱自在に嵌合させることができる第１コネクタと第２コネクタの間における防水を可能とする防水装置を提供するものである。
【課題を解決するための手段】
【０００６】
本発明は、ケーブルに接続された第１コネクタに取付可能な第１防水ユニットと、前記第１コネクタと着脱自在に嵌合させることができる第２コネクタに取付可能な第２防水ユニットとを備え、前記第１防水ユニットは、前記第１コネクタのケーブルを貫通させるとともに前記第１コネクタの外部を覆う筒状の弾性部材を有し、前記第２防水ユニットは、前記第１防水ユニット側に延びる筒状部分を有し、前記第２防水ユニットの筒状部分の内部に前記弾性部材の先端付近を嵌め込んで前記弾性部材の先端側を防水することを特徴としている。
ここで、前記弾性部材は、該弾性部材に貫通させた前記第１コネクタのケーブルに沿って前記第２防水ユニット側に移動させることにより前記第２防水ユニットの筒状部分に嵌め込むこともできる。
【０００７】
上記装置において、前記弾性部材は先端側から後端側に向かって細くなる傾斜部と該傾斜部の後端側に設けた延長部を有していてもよい。
【０００８】
上記装置において、前記第１防水ユニットは、更に、前記弾性部材の延長部に取り付けられて該弾性部材の後端側を塞いで防水するストッパ部材を有していてもよい。
ここで、前記ストッパ部材は略筒状であって前記延長部の外周を包み込むように配置され、前記ストッパ部材によって前記弾性部材の傾斜部を縮径させることにより前記弾性部材を前記ケーブルに押し付けて前記弾性部材の後端側を防水するものであってもよい。
【０００９】
上記装置において、前記弾性部材は比較的柔らかい部材で形成されており、前記ストッパ部材と前記第２防水ユニットは比較的固い部材で形成されていてもよい。
【００１０】
上記装置において、前記延長部に設けた規制部材によって前記ストッパ部材の前記後端側への動きを規制するようになっていてもよい。
また、前記第２防水ユニットの筒状部分の内壁に該筒状部分の内部に向かって先細になるテーパーが設けられていてもよい。
【００１１】
上記装置において、前記第２防水ユニットはパネル取付可能な部分を有していてもよい。また、上記装置において、前記弾性部材は防水機能を有しているのが好ましい。
【発明を実施するための最良の形態】
【００１２】
以下、添付図面を参照しつつ、本発明の好適な一つの実施形態による防水装置を説明する。
【００１３】
本防水装置は、プラグ防水ユニット４０とアダプタ防水ユニット６０の対から成る。プラグ防水ユニット４０は、ケーブルに接続された本体部を有するプラグに取付可能であり、アダプタ防水ユニット６０は、プラグに着脱自在に嵌合させることができるアダプタに取付可能である。
【００１４】
図１に、プラグ防水ユニット４０の縦断面図をケーブル２１に接続されたプラグ２０の横面図とともに示し、図２に、アダプタ防水ユニット６０の縦断面図をアダプタ８０の半断面図とともに示す。但し、これらの図はそれぞれ、プラグ２０やアダプタ８０を取り付ける前の状態を示している。
【００１５】
図３は、プラグ防水ユニット４０の、特に防水ブッシュ４１の個品図を示したものであって、（ａ）はその半断面横面図、（ｂ）は（ａ）のＡ−Ａ線断面図、（ｃ）はその背面図をそれぞれ示す。一方、図４は、アダプタ防水ユニット６０の個品図を示したものであって、（ａ）はその半断面横面図、（ｂ）は（ａ）のＢ−Ｂ線断面図、（ｃ）はその背面図をそれぞれ示す。
【００１６】
プラグ２０やアダプタ８０は、本装置を適用できるコネクタの一例にすぎないが、理解容易のため、それらの構成を簡単に説明する。プラグ２０の本体部を形成し得るハウジング２４の先端には、フェルール２３の一部が外部に突出した状態で設けられており、一方、その後端には、ハウジング２４に接続された状態で後方に延びる例えば丸型のケーブル２１が、その周囲をフード２２によって保護された状態で設けられている。プラグ２０とアダプタ８０は着脱自在に互いに嵌合可能であって、それらの嵌合時に、フェルール２３はハウジング２４と共に、アダプタハウジング８１の嵌合穴８８に挿入される。特に、フェルール２３の先端部は、スリーブ保持部８４の内部に配置したスリーブ８３の中間付近まで挿入される。嵌合穴８８やスリーブ８３には、対抗側からも、プラグ２０と接続されるべき同様の対応プラグ（図示されていない）が同様の方法で挿入される。故に、フェルール２３の先端と対応プラグの対応フェルールの先端は、スリーブ８３の中間付近にて互いに接続され得る。これらプラグ２０や対応プラグは、嵌合穴８８に完全に挿入されたとき、プラグ係止部８５、８６によってそこに係止させることができる。
【００１７】
次いで、主に図１、図３を参照して、本発明によるプラグ防水ユニット４０の構成を説明する。プラグ防水ユニット４０は、防水ブッシュ４１とストッパ部材４２から成る。防水ブッシュ４１は、防水機能を有する比較的柔らかいゴム等の弾性部材で一体成形されており、全体としてラッパに似た筒状であって、その内部にプラグ２０のケーブル２１を貫通させるとともにプラグ２０の外部を覆うことができる。また、防水ブッシュ４１は、先端側から後端側に向かって細くなる傾斜部５１と、この傾斜部５１の更に後端側に設けた略平坦な延長部５２とを有しており、傾斜部５１は、その中間位置に滑り止め４５を有し、また、延長部５２は、スライド可能にケーブル２１に多少密着された状態でケーブル２１の外面周囲に沿って延びている。このような防水ブッシュ４１に対して、ストッパ部材４２は、プラスチック樹脂等の比較的固い部材で一体成形されており、全体として略筒状であって、防水ブッシュ４１の延長部５２の外周を包み込むように配置されて、防水ブッシュ４１の後端を塞いで防水機能を発揮する。
【００１８】
防水ブッシュ４１の先端に、プラグハウジング２４をケーブル側から収容させることができる開口４８が設けられている。ケーブル２１を貫通させた防水ブッシュ４１をプラグハウジング２４側にスライドさせることにより、容易に、フード２２やプラグハウジング２４の少なくとも一部を防水ブッシュ４１の内部に収容させることができる。防水ブッシュ４１は、その先端側の上下に１つずつ、外面に沿って略三日月形状の係合突起４４を有する。これらの係合突起４４は、アダプタ防水ユニット６０の対応部分（係合穴６３）と係合するものであり、防水ブッシュ４１をアダプタ防水ユニット６０の所定位置に位置決めするのに役立つ。尚、防水ブッシュ４１の先端部５４の外径は、アダプタ防水ユニット６０による防水機能を発揮させるため、アダプタ防水ユニット６０の筒状部分７０の途中位置（例えば、後述する図９の「ア」の位置）における内径と略同じ大きさに設定されている。
【００１９】
ストッパ部材４２の後端側への動きを規制するため、防水ブッシュ後端側の延長部５２の略中間に抜け止め４３が設けられている。抜け止め４３は、中心に向かって盛り上がったラグビーボールに類似した形状を有しており、その中心付近の最大外径は、ストッパ部材４２の内径、換言すれば、貫通孔４７の外径より大きく設定されている。延長部５２の外周を包み込むように配置したストッパ部材４２を延長部５２に沿ってプラグ２０側に移動させたとき、抜け止め４３は防水ブッシュ４１の一部であって弾性を有することから、それは、貫通孔４７によってケーブル２１側に縮径されてストッパ部材４２の通過を許し、完全にストッパ部材４２が通過した後は再び元の状態に戻って、ストッパ部材４２の反対方向への移動を規制する。
【００２０】
傾斜部５１と延長部５２の境目５５付近、正確には、この境目５５よりも多少傾斜部５１側の内面位置に、段部５３（図３によく示されている）を設けてもよい。段部５３は延長部５２の内径と同じ大きさの内径を有するが、その外径の大きさは傾斜部５１を設けたことによってストッパ部材４２の内径、換言すれば、貫通孔４７の外径よりも大きくなっている。この結果、延長部５２の外周を包み込むように配置したストッパ部材４２を延長部５２に沿ってプラグ２０側に移動させたとき、貫通孔４７を利用して傾斜部５１を段部５３位置付近において縮径させ、防水ブッシュ４１の一部をケーブル２１に押し付けるようにして、防水ブッシュ４１とケーブル２１の間の隙間を塞いで防水を行うことができる。
【００２１】
次いで、主に図２、図４を参照して、本発明によるアダプタ防水ユニット６０の構成を説明する。アダプタ防水ユニット６０は、例えば、プラスチック樹脂等の比較的固い部材で一体成形されている。このアダプタ防水ユニット６０は、筒状部分７０とフランジ部分７１を有する。筒状部分７０は、先端側、即ち、防水ブッシュ４１側に延びており、防水ブッシュ４１の先端部５４を内部に受け入れて、防水ブッシュ４１の先端部５４付近と密着され得る。フランジ部分７１は、筒状部分７０の後端側に設けられ、アダプタ８０をアダプタ防水ユニット６０の所定位置に位置決めする他、パネルへの取付けに利用することができる。
【００２２】
筒状部分７０は、防水ブッシュ４１の係合突起４４に対応して、その先端側の上下に１つずつ、外面に沿って略三日月形状の係合穴６３を有する。これらの係合穴６３にプラグ防水ユニット４０の係合突起４４を係合させることにより、防水ブッシュ４１をアダプタ防水ユニット６０の所定位置に位置決めすることができる。筒状部分７０の内壁には、筒状部分７０の内部に向かって先細になるテーパー６５が設けてある。テーパー６５を設けたことにより、テーパー６５の内径は、筒状部分７０の先端においては、防水ブッシュ４１の先端部５４の外径よりも大きく設定され、一方、筒状部分７０の後端においては、防水ブッシュ４１の先端部５４の外径よりも小さく設定される。換言すれば、防水ブッシュ４１の先端部５４の外径は、アダプタ防水ユニット６０の筒状部分７０の途中位置（例えば、後述する図９の「ア」の位置）における内径と略同じ大きさに設定される。この結果、筒状部分７０の内部に防水ブッシュ４１の先端付近が嵌め込まれると、防水ブッシュ４１の先端付近（先端部５４）は先細になるように縮径され、防水ブッシュ４１の先端部５４の外面と筒状部分７０は密着し、防水ブッシュ４１の先端側は完全に防水される。
【００２３】
図５、図６に、アダプタ８０をフランジ部分７１に固定した後の状態を示す。図５は、この固定状態における概略縦断面図、図６は、その正面図である。アダプタ８０はフランジ部分７１の後端側から挿入される。アダプタ８０をアダプタ挿入孔６７に挿入して、アダプタ８０をフランジ部分７１に完全に固定したとき、アダプタ８０外側の略半分は、筒状部分７０によって包囲され、アダプタ８０のフランジ８９は、フランジ部分７１の当接部６６に当接するとともにその内部７３に包摂される。アダプタ８０がアダプタ防水ユニット６０に挿入される際、アダプタ８０に設けた変位可能なハウジング係止片８７は、挿入孔６７の縁６８と衝突して中心側に変位され、その後、アダプタ８０がアダプタ防水ユニット６０に完全に挿入されたときに元の状態に復元し、ハウジング係止片８７の自由端９０はフランジ部分７１の外部フランジ７２と当接し得る。このハウジング係止片８７を利用して、アダプタ８０はアダプタ防水ユニット６０に係止され得る。
【００２４】
尚、アダプタ防水ユニット６０は、パネル（図示されていない）に固定したタイプのパネル固定型の防水装置として使用することもできるし、単なる中継用の防水装置として使用することもできる。特にパネル固定型として使用する場合、パネルへの固定は、アダプタ８０に関しては、フランジ８９に設けたネジ孔８２を利用して、アダプタ防水ユニット６０に関しては、フランジ部分７１に設けたネジ孔６４を利用して、それぞれネジ固定することができる。また、パネルへの固定時には、Ｏリング用溝６１に設けたＯリング６２をアダプタ防水ユニット６０とパネルの間に配置して、アダプタ防水ユニット６０とパネルの間の漏水を防止することもできる。
【００２５】
最後に、図７乃至図１０を参照して、本発明による防水装置の取付方法の一例とその作用を説明する。図７に示すように、先ず、防水ブッシュ４１とストッパ部材４２については、それぞれの貫通孔４６や貫通孔４７にケーブル２１を貫通させた状態とし、アダプタ防水ユニット６０については、アダプタ８０を固定した状態とする。次いで、図８に示すように、プラグ２０の先端部（２４）をアダプタ８０の嵌合穴８８に差し込んでプラグ２０とアダプタ８０を嵌合させる。次いで、図９に示すように、防水ブッシュ４１をケーブル２１に沿ってアダプタ防水ユニット６０側（「イ」方向）に移動させ、アダプタ防水ユニット６０の筒状部分７０のテーパー６５状の内壁に防水ブッシュ４１の先端部５４を縮径させつつ嵌め込んで、係合突起４４と係合穴６３を係合させる。このとき、先端部５４の外面は、テーパー６５の所定位置（例えば、「ア」の位置）にて筒状部分７０の内壁にぴったりとフィットし、この結果、防水機能が発揮される。最後に、図１０に示すように、ストッパ部材４２を延長部５２に沿って抜け止め４３を乗り越える位置までアダプタ防水ユニット６０側（「イ」方向）に移動させる。このとき、傾斜部５１は、例えば段部５３の位置においてストッパ部材４２によって縮径され、傾斜部５１の一部内面（段部５３の内側付近）がケーブル２１の外面に強く押し付けられて、そこに密着される。この結果、防水ブッシュ４１の後端側を完全に塞いだ状態とすることができる。尚、段部５３は、必ずしも必要なものではないが、これを設けることにより、傾斜部５１の一部内面をケーブル２１の外面に接近させることが容易となり、傾斜部５１とケーブル２１の密着作業を容易にすることができる。以上の説明によって明らかにしたように、本発明の防水装置は、完成済みの或いは既存のプラグやアダプタに容易に後付け可能である。
【００２６】
尚、上の実施形態では、ケーブル２１を丸ケーブルとして説明したが、その他の形状、例えば、平ケーブルにも本装置を適用できることは言うまでもない。ただし、ケーブルの形状に合わせて、ストッパ部材４２の貫通孔４７の形状を変更する必要がある。また、上の実施形態では、プラグ防水ユニット４０とアダプタ防水ユニット６０を位置決めするために係合突起４４と係合穴６３を設けることとしていたが、例えば、係合穴６３の代わりに係合溝とし、この係合溝を筒状部分７０の先端側の内側全周に設け、これに対応して、係合突起４４を防水ブッシュ４１の先端側の外側全周に設けるものとしてもよい。
【図面の簡単な説明】
【００２７】
【図１】プラグ防水ユニットの縦断面図をケーブルに接続されたプラグの横面図とともに示す図である。
【図２】アダプタ防水ユニットの縦断面図をアダプタの半断面図とともに示す図である。
【図３】プラグ防水ユニットの特に防水ブッシュの個品図である。
【図４】アダプタ防水ユニットの個品図である。
【図５】アダプタをアダプタ防水ユニットに固定した状態を示す概略縦断面図である。
【図６】図５の正面図である。
【図７】本発明による防水装置の取付方法を段階的に示す図である。
【図８】本発明による防水装置の取付方法を段階的に示す図である。
【図９】本発明による防水装置の取付方法を段階的に示す図である。
【図１０】本発明による防水装置の取付方法を段階的に示す図である。
【符号の説明】
【００２８】
２０  プラグ
２１  ケーブル
２２  フード
２３  フェルール
２４  プラグハウジング
４０  プラグ防水ユニット
４１  防水ブッシュ
４２  ストッパ部材
４３  抜け止め
４４  係合突起
４５  滑り止め
４６  貫通孔
４７  貫通孔
４８  開口
５１  傾斜部
５２  延長部
５３  段部
６０  アダプタ防水ユニット
６１  Ｏリング用溝
６２  Ｏリング
６３  係合穴
６４  ネジ孔
６５  テーパー
６６  フランジ当接部
６７  アダプタ挿入孔
７０  筒状部分
７１  フランジ部分
７２  外部フランジ
８０  アダプタ
８１  アダプタハウジング
８２  ネジ孔
８３  スリーブ
８４  スリーブ保持部
８５  プラグ係止部
８６  プラグ係止部
８７  ハウジング係止片
８８  嵌合穴
８９  フランジ
９０  自由端
【図１】
2007094085.tif 000003
【図２】
2007094085.tif 000004
【図３】
2007094085.tif 000005
【図４】
2007094085.tif 000006
【図５】
2007094085.tif 000007
【図６】
2007094085.tif 000008
【図７】
2007094085.tif 000009
【図８】
2007094085.tif 000010
【図９】
2007094085.tif 000011
【図１０】
2007094085.tif 000012